(57)【要約】【課題】  種々の形状や大きさの既設サッシ枠に取り付けることができると共に、窓開口部のスペースを有効活用することができるサッシ枠を提供することを目的とする。【解決手段】  新規サッシ下辺持出片３４により新規サッシ１の下辺１２が持ち出されて支持され、荷重支持片３５により新規サッシ１の荷重が支持され、下辺化粧片３６により新規サッシ下辺持出片３４が覆われる。また、固定片３１に取り付けられた新規サッシ上辺持出片３２により新規サッシ１の上辺１１が持ち出されて支持され、上辺化粧片３３により既設サッシ枠の上辺２１、固定片３１等が覆われる。また、新規サッシ側辺持出片３７により、新規サッシ１の両側辺１３，１４が持ち出されて支持され、新規サッシ側辺固定片３８により、新規サッシ１の両側辺１３，１４が固定され、側辺化粧片３９により新規サッシ側辺固定片３８および既設サッシ枠の側辺２３，２４が覆われる。【選択図】  図２
2007191953.tif 000002
【特許請求の範囲】
【請求項１】
窓開口に取り付けられた既設サッシ枠の建物外側に新規サッシを持ち出して固定する持出固定サッシ枠であって、
前記既設サッシ枠の下辺を覆いながら前記既設サッシ枠の下辺に隣接する額部底面と水平に建物内側から建物外側に延出し、延出先端部が新規サッシの下辺をあてがう位置で折り曲げられて前記新規サッシの下辺を建物外側に持ち出して支持する新規サッシ下辺持出片と、
前記既設サッシ枠の建物外側の下方に張り出した張出部に取り付けられて、前記新規サッシ下辺持出片にかかる前記新規サッシの荷重を支持する荷重支持片と、
前記新規サッシ下辺持出片の延出元端部を覆って前記額部底面との間に生じる段差を緩和する下辺化粧片と、
前記既設サッシ枠の上辺に固定される固定片と、
この固定片に取り付けられて建物外側に延出し、延出先端部が新規サッシの上辺をあてがう位置で折り曲げられて前記新規サッシの上辺を建物外側に持ち出して支持する新規サッシ上辺持出片と、
前記既設サッシ枠の上辺および前記固定片並びに前記新規サッシ上辺持出片の延出元端部を覆う上辺化粧片と、
前記既設サッシ枠の両側辺の建物外側端部に取り付けられて建物外側に延出し、前記新規サッシの両側辺を建物外側に持ち出して支持する一対の新規サッシ側辺持出片と、
前記既設サッシ枠の両側辺の建物内側に取り付けられて、前記新規サッシの両側辺を前記既設サッシ枠の両側辺に固定する一対の新規サッシ側辺固定片と、
一対の前記新規サッシ側辺固定片を覆う一対の側辺化粧片と
から構成されることを特徴とする持出固定サッシ枠。
【発明の詳細な説明】
【技術分野】
【０００１】
本発明は、窓開口に取り付けられた既設サッシ枠の建物外側に新規サッシを持ち出して固定する持出固定サッシ枠に関するものである。
【背景技術】
【０００２】
住宅都市整備公団や道路公団、また防衛庁および公立学校や教育施設の関連の既築の建物では、サッシのみを新規のものに取り替えてスチールサッシをアルミ化すると共に防音性能などを向上させ、居住者の利便が図られてきた。このようにサッシをリフレッシュするために既設のサッシを新規のサッシに取り替える取替えサッシ工法は、多くの場合、公共事業の一環として開発され、発展してきている。この取替サッシ工法には、既設サッシの枠内に新規サッシを重ねるカバー工法、および、既設サッシ枠の建物外側に新規サッシを持ち出して固定する持ち出し工法がある。
【０００３】
また、従来の持ち出し工法には、例えば、下記の特許文献１に開示される取替サッシ用アンカー構造を用いたものもある。この構造では、建造物外壁に打ち込まれたアンカーボルトに基礎アンカーが固定されており、この基礎アンカーに主アンカーおよび補助アンカーが取り付けられている。補助アンカーは補助材を介して既設サッシ枠に固定されており、主アンカーおよび補助アンカーは、取付金具を介して新規サッシを建物外側に持ち出して固定している。
【特許文献１】実開昭５５−４４９２８号公報（第３頁第１行目〜第４頁第１４行目）
【発明の開示】
【発明が解決しようとする課題】
【０００４】
しかしながら、公共の既築の建物に対する従来の取替サッシ工法では、公共事業として各サッシメーカーへ共通の仕様が発注され、新規サッシを既設サッシ枠に取り付けるための納まりや意匠および性能に共通のものが求められる。このため、多くのメーカーの納まりが、工場でアルミインゴットを溶融し、押し出し型材として部品化した型材を使用する傾向にあり、規則化されてしまっている。従って、従来、公共の既築の建物と異なる形状や大きさの既設サッシ枠に新規サッシを取り付けるのは困難であった。
【０００５】
持ち出し工法では、既設サッシ枠の建物外側に新規サッシを持ち出して固定するので、取り付けることができる新規サッシのサイズを本来自由に選ぶことができるはずであるが、従来の持ち出し工法では、納まりが規則化された押し出し型材により構成されていたことから、新規サッシを取り付けることが可能な既設サッシ枠の形状や大きさが限定されていた。このため、既設サッシ枠に取り付けられたとしても、例えば、既存の床面よりも１５［ｍｍ］程度上方に新規サッシの端面が位置して隙間ができてしまっていた。
【０００６】
また、従来の取替サッシ工法は、窓開口部のスペースを広げて有効に用いようとする考えに乏しかった。このため、従来のカバー工法では、既設サッシの枠内に新規サッシを重ねるので、新規サッシの開口部のサイズが、例えば、幅で９０［ｍｍ］、上部で４５［ｍｍ］、下部で４０［ｍｍ］ほど、既設サッシの開口部のサイズよりも小さくなり、スペースが奪われて狭くなっていた。
【０００７】
また、特許文献１に開示される従来の持ち出し工法では、建物外壁に打ち込まれたアンカーで新規サッシを建物外壁に持ち出して固定していたので、建物外壁にアンカーを打ち込むことができない建物では施工できなかった。
【０００８】
本発明は、係る実情に鑑み、様々な性能や機能を有するサッシを新規サッシとして採用し、種々の形状や大きさの既設サッシ枠に取り付けることができると共に、窓開口部のスペースを有効活用することができるサッシ枠を提供することを目的とする。
【課題を解決するための手段】
【０００９】
このために本発明は、
窓開口に取り付けられた既設サッシ枠の建物外側に新規サッシを持ち出して固定する持出固定サッシ枠であって、
既設サッシ枠の下辺を覆いながら既設サッシ枠の下辺に隣接する額部底面と水平に建物内側から建物外側に延出し、延出先端部が新規サッシの下辺をあてがう位置で折り曲げられて新規サッシの下辺を建物外側に持ち出して支持する新規サッシ下辺持出片と、
既設サッシ枠の建物外側の下方に張り出した張出部に取り付けられて、新規サッシ下辺持出片にかかる新規サッシの荷重を支持する荷重支持片と、
新規サッシ下辺持出片の延出元端部を覆って額部底面との間に生じる段差を緩和する下辺化粧片と、
既設サッシ枠の上辺に固定される固定片と、
この固定片に取り付けられて建物外側に延出し、延出先端部が新規サッシの上辺をあてがう位置で折り曲げられて新規サッシの上辺を建物外側に持ち出して支持する新規サッシ上辺持出片と、
既設サッシ枠の上辺および固定片並びに新規サッシ上辺持出片の延出元端部を覆う上辺化粧片と、
既設サッシ枠の両側辺の建物外側端部に取り付けられて建物外側に延出し、新規サッシの両側辺を建物外側に持ち出して支持する一対の新規サッシ側辺持出片と、
既設サッシ枠の両側辺の建物内側に取り付けられて、新規サッシの両側辺を既設サッシ枠の両側辺に固定する一対の新規サッシ側辺固定片と、
一対の新規サッシ側辺固定片を覆う一対の側辺化粧片と
から構成されることを特徴とする。
【００１０】
この構成によれば、建物内側から建物外側に延出した新規サッシ下辺持出片により、新規サッシの下辺が建物外側に持ち出されて支持され、既設サッシ枠の建物外側の下方に張り出した張出部に取り付けられた荷重支持片により、新規サッシ下辺持出片にかかる新規サッシの荷重が支持されると共に、下辺化粧片により新規サッシ下辺持出片の延出元端部が覆われる。また、既設サッシ枠の上辺に固定された固定片に取り付けられた新規サッシ上辺持出片により、新規サッシの上辺が建物外側に持ち出されて支持されると共に、上辺化粧片により既設サッシ枠の上辺および固定片並びに新規サッシ上辺持出片の延出元端部が覆われる。また、既設サッシ枠の両側辺の建物外側端部に取り付けられた一対の新規サッシ側辺持出片により、新規サッシの両側辺が建物外側に持ち出されて支持され、既設サッシ枠の両側辺の建物内側に取り付けられた一対の新規サッシ側辺固定片により、新規サッシの両側辺が既設サッシ枠の両側辺に固定されると共に、一対の側辺化粧片により一対の新規サッシ側辺固定片が覆われる。
【００１１】
このため、既設サッシ枠の形状や大きさに関わらず、これらの形状や大きさに応じて加工された上記の各片を用いて、既設サッシ枠の建物外側に新規サッシを持ち出して固定することができる。従って、省エネ、断熱、防音等の目的をもって開発されているどのようなサッシでも既設サッシに組み込むことができ、様々な機能を有する新規なサッシを自由に選べる工法を提供することができる。また、納まりが規則化された押し出し型材により構成される従来の工法に比べて、既設サッシ枠のスペースを室内のスペースとして有効に使用することができ、窓を出窓タイプに設計すること等もできる。しかも、新規サッシ下辺持出片の延出元端部を覆う下辺化粧片により、新規サッシ下辺持出片と額部底面との間に生じる段差が緩和される。
【発明の効果】
【００１２】
このような本発明によれば、上記のように、様々な性能や機能を有するサッシを新規サッシとして採用し、種々の形状や大きさの既設サッシ枠に取り付けることができると共に、窓開口部のスペースを有効活用することができるサッシ枠を提供することができる。
【発明を実施するための最良の形態】
【００１３】
次に、本発明を実施するための最良の形態について説明する。
【００１４】
図１は本発明の一実施の形態による持出固定サッシ枠を用いて既設サッシ枠に取り付けられた新規サッシ１の正面図、図２は本実施形態による持出固定サッシ枠を用いて新規サッシ１が既設サッシ枠に取り付けられた状態の縦断面図、図３は本実施形態による持出固定サッシ枠を用いて新規サッシ１が既設サッシ枠に取り付けられた状態の横断面図である。
【００１５】
図１に示すように、新規サッシ１は、上辺１１、下辺１２、右辺１３、および左辺１４からなる枠に一対の障子１５，１６が取り付けられて構成されている。
【００１６】
図２に示すように、新規サッシ１の上辺１１には一対の突条１１ａ，１１ｂ、下辺１２には一対のレール１２ａ，１２ｂがそれぞれ備えられている。上辺１１に設けられた突条１１ａと下辺１２に設けられたレール１２ａ、上辺１１に設けられた突条１１ｂと下辺１２に設けられたレール１２ｂはそれぞれ対になっており、各障子１５，１６が対になる突条１１ａ，１１ｂおよびレール１２ａ，１２ｂにより新規サッシ１の枠内に保持されている。障子１５，１６は、上側に溝部１５ａ，１６ａ、下側に車輪１５ｂ，１６ｂを、それぞれ備えている。車輪１５ｂ，１６ｂは、下辺１２に設けられたレール１２ａ，１２ｂ上を回転して移動し、溝部１５ａ，１６ａは、上辺１１に設けられた突条１１ａ，１１ｂが挿入されて障子１５，１６の移動をガイドする。
【００１７】
既設サッシ枠は、建物の躯体４の内周壁に埋め込まれて、躯体４に取り付けられている。既設サッシ枠は、上辺２１に既設サッシの障子および網戸が嵌め込まれる３条の溝２１ａ〜２１ｃ、下辺２２に既設サッシに設けられた車輪が移動する一対のレール２２ａ，２２ｂ、右辺２３および左辺２４に既設サッシの障子の側辺に嵌め込まれる突条２３ａ，２４ａをそれぞれ備えている。なお、Ｗは新規サッシ１の枠の幅方向の内法、ｗは既設サッシ枠の幅方向の内法、Ｈは新規サッシ１の枠の高さ方向の内法、ｈは既設サッシ枠の高さ方向の内法を表す。また、図２および図３において、図中左側が建物外側で右側が建物内側を表す。
【００１８】
次に、上述した新規サッシ１を既設サッシ枠２１〜２４の建物外側に持ち出して取り付ける本実施形態による持出固定サッシ枠について説明する。
【００１９】
図４は持出固定サッシ枠を構成する固定片３１、図５は新規サッシ上辺持出片３２、図６は上辺化粧片３３、図７は新規サッシ下辺持出片３４、図８は荷重支持片３５、図９は下辺化粧片３６、図１０は新規サッシ側辺持出片３７、図１１は新規サッシ側辺固定片３８、図１２は側辺化粧片３９をそれぞれ示す断面図である。
【００２０】
図２に示すように、既設サッシ枠の上辺２１には、固定片３１がネジ止めされて固定されている。図４に示すように、固定片３１は、厚さ１．６［ｍｍ］のスチール製の板材をコの字形に折り曲げて形成されており、紙面に垂直な方向において長さＬ＝Ｗ［ｍｍ］を有している。
【００２１】
固定片３１には新規サッシ上辺持出片３２が取り付けられている。図５に示すように、新規サッシ上辺持出片３２は、厚さ２．０［ｍｍ］のアルミニウム製の板材からなり、固定片３１に取り付けられて建物外側に延出している。その幅方向の延出先の一端側は、新規サッシ１の上辺１１をあてがう位置でコの字形に折り曲げて形成されており、紙面に垂直な方向において長さＬ＝Ｗ＋２０［ｍｍ］を有している。新規サッシ上辺持出片３２には、皿孔３２ａ〜３２ｄが設けられている。新規サッシ上辺持出片３２は、平坦部分の皿孔３２ａ，３２ｂを介して皿ネジによって固定片３１にネジ止めされて、固定片３１に取り付けられている。また、新規サッシ上辺持出片３２は、コの字形部分の対向する皿孔３２ｃ，３２ｄを介して新規サッシ１の上辺１１の両端部に皿ネジによってネジ止めされており、新規サッシ１の上辺１１を既設サッシ枠２１〜２４の建物外側に持ち出して支持している。
【００２２】
新規サッシ上辺持出片３２のコの字部分の先端部分と額縁５との間には、防水性および見栄えを良くするために、シーリング材によるコーキング６１が施されている。
【００２３】
固定片３１および新規サッシ上辺持出片３２には、上辺化粧片３３が取り付けられている。図６に示すように、上辺化粧片３３は、厚さ１．５［ｍｍ］のアルミニウム製の板材からなり、その幅方向の一端側をコの字形に折り曲げて形成されており、紙面に垂直な方向において長さＬ＝Ｗ＋３３［ｍｍ］を有している。上辺化粧片３３には、ネジ孔３３ａが形成されている。上辺化粧片３３は、ネジ孔３３ａを介して固定片３１および新規サッシ上辺持出片３２にネジ止めされて、固定片３１および新規サッシ上辺持出片３２に取り付けられ、既設サッシ枠の上辺２１および固定片３１並びに新規サッシ上辺持出片３２の延出元端部を覆っている。
【００２４】
上辺化粧片３３のコの字部分の先端部分と額縁５との間には、防水性および見栄えを良くするために、シーリング材によるコーキング６２が施されている。
【００２５】
既設サッシ枠の下辺２２には、新規サッシ下辺持出片３４が取り付けられている。図７に示すように、新規サッシ下辺持出片３４は、厚さ１．６［ｍｍ］のスチール製の板材からなり、その幅方向の延出先の一端側は、新規サッシ１の下辺１２をあてがう位置でＬ字形に折り曲げられており、紙面に垂直な方向において長さＬ＝Ｗ＋３０［ｍｍ］を有している。新規サッシ下辺持出片３４には、皿孔３４ａおよび皿孔３４ｃ並びにネジ孔３４ｂが形成されており、平坦部分の皿孔３４ａを介して延出元端部が額縁５にネジ止めされている。新規サッシ下辺持出片３４は、既設サッシ枠の下辺２２を覆いながら既設サッシ枠の下辺２２に隣接する額縁５の底面と水平に建物内側から建物外側に延出し、新規サッシ１の下辺１２を建物外側に持ち出して支持している。
【００２６】
既設サッシ枠２１〜２４の建物外側の下方に張り出した躯体４の張出部には、荷重支持片３５が取り付けられている。図８に示すように、荷重支持片３５は、厚さ１．６［ｍｍ］のスチール製の板材をＬ字形に折り曲げて形成されており、紙面に垂直な方向において長さＬ＝Ｗ＋３０［ｍｍ］を有している。荷重支持片３５には、ネジ孔３５ａが形成されており、ネジ孔３５ａを介して躯体４の張出部にネジ止めされている。また、荷重支持片３５は、垂直に立ち上がる端部が、新規サッシ下辺持出片３４の先端の皿孔３４ｃを介して新規サッシ１の下辺１２にネジ止めされて、新規サッシ下辺持出片３４にかかる新規サッシ１の荷重を支持している。
【００２７】
新規サッシ下辺持出片３４には、額縁５の底面と水平に下辺化粧片３６が取り付けられている。下辺化粧片３６は、図９に示すように建物内側の端部にテーパーが設けられており、図３に示すように、既設サッシ枠の右辺２３、左辺２４に形成された突条２３ａ，２４ａを避けるため、両側の斜線部分３６ｂ，３６ｂが切り欠かれている。下辺化粧片３６には、皿孔３６ａが設けられており、この皿孔３６ａを介して皿ネジによって新規サッシ下辺持出片３４にネジ止めされて、新規サッシ下辺持出片３４の延出元端部を覆って額縁５の底面との間に生じる段差を緩和している。
【００２８】
新規サッシ１の下辺１２と躯体４の張出部との間には、防水性および見栄えを良くするために、シーリング材によるコーキング６３が施されている。
【００２９】
図３に示すように、既設サッシ枠の両側辺２３，２４には、一対の新規サッシ側辺持出片３７がそれぞれ取り付けられている。図１０に示すように、新規サッシ側辺持出片３７は、厚さ２．０［ｍｍ］のアルミニウム製の板材からなり、その幅方向の両端を逆方向に直角に折り曲げて形成されており、紙面に垂直な方向において長さＬ＝Ｈ＋８７［ｍｍ］を有している。新規サッシ側辺持出片３７には、皿孔３７ａおよび皿孔３７ｃ並びにネジ孔３７ｂが形成されている。一対の新規サッシ側辺持出片３７は、一方の折曲部分の皿孔３７ａおよび平坦部分の皿孔３７ｃを介して新規サッシ１の右辺１３および左辺１４にネジ止めされて取り付けられ、他方の折曲部分のネジ孔３７ｂを介して既設サッシ枠の右辺２３および左辺２４の建物外側端部にそれぞれネジ止めされて取り付けられている。一対の新規サッシ側辺持出片３７は、既設サッシ枠の両側辺２３，２４の建物外側端部に取り付けられて建物外側に延出し、新規サッシ１の両側辺１３，１４を建物外側に持ち出して支持している。
【００３０】
一対の新規サッシ側辺持出片３７の各先端部分と躯体４との間には、防水性および見栄えを良くするために、シーリング材によるコーキング６４，６４がそれぞれ施されている。
【００３１】
既設サッシ枠の両側辺２３，２４の建物内側には、一対の新規サッシ側辺固定片３８が取り付けられている。図１１に示すように、新規サッシ側辺固定片３８は、厚さ１．６［ｍｍ］のスチール製の板材からなり、一端側を直角に折り曲げて形成されており、紙面に垂直な方向において長さＬ＝Ｈ＋１５［ｍｍ］を有している。新規サッシ側辺固定片３８は、折曲部分の先端にネジ孔３８ａが形成されている。一対の新規サッシ側辺固定片３８は、一端がネジ孔３８ａを介して既設サッシ枠の右辺２３および左辺２４の建物内側にネジ止めされて取り付けられ、他端が新規サッシ１の右辺１３および左辺１４にネジ止めされて、新規サッシ１の両側辺１３，１４を既設サッシ枠の両側辺２３，２４に固定している。
【００３２】
一対の新規サッシ側辺固定片３８にはそれぞれ側辺化粧片３９が取り付けられている。図１２に示すように、側辺化粧片３９は、厚さ１．５［ｍｍ］のアルミニウム製の板材からなり、一端側をコの字形に折り曲げて形成されており、紙面に垂直な方向において長さＬ＝Ｈ＋４０［ｍｍ］を有している。側辺化粧片３９は、ネジ孔３９ａが形成されており、図２に示すように上縁に、既設サッシ枠の上辺２１に形成された溝２１ａ〜２１ｃを構成する突出部分を避けるため、斜線部分３９ｂが切り欠かれている。一対の側辺化粧片３９は、ネジ孔３９ａを介して新規サッシ側辺固定片３８にネジ止めされて取り付けられて、一対の新規サッシ側辺固定片３８および既設サッシ枠の右辺２３および左辺２４を覆っている。
【００３３】
側辺化粧片３９の折曲部分と額縁５との間には、防水性および見栄えを良くするために、シーリング材によるコーキング６５，６５が施されている。
【００３４】
本実施形態による持出固定サッシ枠によれば、このように、建物内側から建物外側に延出した新規サッシ下辺持出片３４により、新規サッシ１の下辺１２が建物外側に持ち出されて支持され、既設サッシ枠２１〜２４の建物外側の下方に張り出した躯体４の張出部に取り付けられた荷重支持片３５により、新規サッシ下辺持出片３４にかかる新規サッシ１の荷重が支持されると共に、下辺化粧片３６により新規サッシ下辺持出片３４の延出元端部が覆われる。また、既設サッシ枠の上辺２１に固定された固定片３１に取り付けられた新規サッシ上辺持出片３２により、新規サッシ１の上辺１１が既設サッシ枠２１〜２４の建物外側に持ち出されて支持されると共に、上辺化粧片３３により既設サッシ枠の上辺２１および固定片３１並びに新規サッシ上辺持出片３２の延出元端部が覆われる。また、既設サッシ枠の両側辺２３，２４の建物外側端部に取り付けられた一対の新規サッシ側辺持出片３７により、新規サッシ１の両側辺１３，１４が建物外側に持ち出されて支持され、既設サッシ枠の両側辺２３，２４の建物内側に取り付けられた一対の新規サッシ側辺固定片３８により、新規サッシ１の両側辺１３，１４が既設サッシ枠の両側辺２３，２４に固定されると共に、一対の側辺化粧片３９により新規サッシ側辺固定片３８および既設サッシ枠の右辺２３および左辺２４が覆われる。
【００３５】
このため、既設サッシ枠２１〜２４の形状や大きさに関わらず、これらの形状や大きさに応じて加工された上記の各片３１〜３９を用いて、既設サッシ枠２１〜２４の建物外側に新規サッシ１を持ち出して固定することができる。従って、省エネ、断熱、防音等の目的をもって開発されているどのようなサッシでも既設サッシ２１〜２４に組み込むことができ、様々な機能を有する新規なサッシを自由に選べる工法を提供することができる。また、納まりが規則化された押し出し型材により構成される従来の工法に比べて、既設サッシ枠２１〜２４のスペースを室内のスペースとして有効に使用することができ、窓を出窓タイプに設計すること等もできる。しかも、新規サッシ下辺持出片３４の延出元端部を覆う下辺化粧片３６により、新規サッシ下辺持出片３４と額縁５の底面との間に生じる段差が緩和される。
【００３６】
なお、上記実施形態の説明では、各片３１〜３９をアルミニウム製またはスチール製の板材を折り曲げて形成した場合について説明したが、各片３１〜３９を形成するために用いる板材の種類は任意であり、新規サッシ１や既設サッシ枠２１〜２４の材質や形状や重量等に応じて適宜変更して差し支えない。また、各片３１〜３９の形状や厚さや取付方法も、新規サッシ１や既設サッシ枠２１〜２４の材質や形状や重量等に応じて適宜変更して差し支えない。
【産業上の利用可能性】
【００３７】
上記実施形態においては、本発明による持出固定サッシ枠を単板ガラスを保持する障子が取り付けられるサッシの持ち出し工法に用いた場合について説明したが、複層ガラスを保持する障子やその他の障子が取り付けられる他のサッシの持ち出し工法に本発明を適用することも可能である。このようなサッシの持ち出し工法に本発明を適用した場合においても上記実施形態と同様な作用効果が奏される。
【図面の簡単な説明】
【００３８】
【図１】本発明の一実施の形態による持出固定サッシ枠を用いて既設サッシ枠に取り付けられた新規サッシの正面図である。
【図２】本実施形態による持出固定サッシ枠を用いて新規サッシが既設サッシ枠に取り付けられた状態の縦断面図である。
【図３】本実施形態による持出固定サッシ枠を用いて新規サッシが既設サッシ枠に取り付けられた状態の横断面図である。
【図４】図２および図３に示す固定片を示す断面図である。
【図５】図２および図３に示す新規サッシ上辺持出片を示す断面図である。
【図６】図２および図３に示す上辺化粧片を示す断面図である。
【図７】図２および図３に示す新規サッシ下辺持出片を示す断面図である。
【図８】図２および図３に示す荷重支持片を示す断面図である。
【図９】図２および図３に示す下辺化粧片を示す断面図である。
【図１０】図２および図３に示す新規サッシ側辺持出片を示す断面図である。
【図１１】図２および図３に示す新規サッシ側辺固定片を示す断面図である。
【図１２】図２および図３に示す側辺化粧片を示す断面図である。
【符号の説明】
【００３９】
１…新規サッシ
１１〜１４…新規サッシ１の枠
２１〜２４…既設サッシ枠
３１…固定片
３２…新規サッシ上辺持出片
３３…上辺化粧片
３４…新規サッシ下辺持出片
３５…荷重支持片
３６…下辺化粧片
３７…新規サッシ側辺持出片
３８…新規サッシ側辺固定片
３９…側辺化粧片
【図１】
2007191953.tif 000003
【図２】
2007191953.tif 000004
【図３】
2007191953.tif 000005
【図４】
2007191953.tif 000006
【図５】
2007191953.tif 000007
【図６】
2007191953.tif 000008
【図７】
2007191953.tif 000009
【図８】
2007191953.tif 000010
【図９】
2007191953.tif 000011
【図１０】
2007191953.tif 000012
【図１１】
2007191953.tif 000013
【図１２】
2007191953.tif 000014